(57)【要約】 【課題】ピントに迷いが生じることなく、ＭＲによる画像データを取得すること。【解決手段】撮像装置は、主要被写体を含む被写体を撮像する撮像部と、撮像部の撮像により取得された第１の画像を表示する表示部と、表示部に表示されている第１の画像から主要被写体を含む第２の画像を切り出すための領域を指定する切出し指定部と、第１の画像中の主要被写体に対するピント合せに関する情報を取得するピント合せ情報取得部と、切出し指定部により第２の画像を切り出す領域が指定されると、ピント合せ情報取得部により取得されたピント合せに関する情報に基づいて切出し指定部により指定された領域中の主要被写体に対してピント合せするピント合せ部と、ピント合せ部によりピント合せされた第２の画像を第１の画像から切り出す画像切出し部とを具備する。【選択図】図１
2013255011.tif 000002
【特許請求の範囲】
【請求項１】
主要被写体を含む被写体を撮像する撮像部と、
前記撮像部の撮像により取得された第１の画像を表示する表示部と、
前記表示部に表示されている前記第１の画像から前記主要被写体を含む第２の画像を切り出すための領域を指定する切出し指定部と、
前記第１の画像中の前記主要被写体に対するピント合せに関する情報を取得するピント合せ情報取得部と、
前記切出し指定部により前記第２の画像を切り出す領域が指定されると、前記ピント合せ情報取得部により取得された前記ピント合せに関する情報に基づいて前記切出し指定部により指定された前記領域中の前記主要被写体に対してピント合せするピント合せ部と、
前記ピント合せ部によりピント合せされた前記第２の画像を前記第１の画像から切り出す画像切出し部と、
を具備することを特徴とする撮像装置。
【請求項２】
前記撮像部は、前記被写体を動画として撮像することを特徴とする請求項１記載の撮像装置。
【請求項３】
前記主要被写体が近傍側から遠方側に移った場合又は前記遠方側から前記近傍側に移った場合において、前記ピント合せ部は、前記ピント合せに関する情報に基づいて前記切出し指定部により指定された前記領域中の前記主要被写体に対してピント合せすることを特徴とする請求項２記載の撮像装置。
【請求項４】
前記ピント合せ情報取得部は、前記ピント合せ情報として前記主要被写体の特徴、前記主要被写体までの距離、前記主要被写体に対するピント位置、前記主要被写体のコントラストの各情報を含んで取得することを特徴とする請求項３記載の撮像装置。
【請求項５】
前記ピント合せ情報取得部は、前記第１の画像中における前記主要被写体の前記特徴の情報を検出し、当該検出された特徴の情報と前記コントラント情報との関係を記憶することを特徴とする請求項４記載の撮像装置。
【請求項６】
前記被写体中に前記主要被写体が複数存在する場合、
前記ピント合せ情報取得部は、前記ピント合せ情報として前記複数の主要被写体のそれぞれの各ピント位置の位置関係を判定する、
ことを特徴とする請求項１記載の撮像装置。
【請求項７】
前記撮像部の撮像により取得された前記主要被写体を含む前記被写体の全体の前記第１の画像と、前記画像切出し部により切り出された前記第２の画像とを記録する記録部を有することを特徴とする請求項１記載の撮像装置。
【請求項８】
前記画像切出し部は、前記表示部の表示画面上で前記第１の画像を拡大し、当該拡大された前記第１の画像の前記表示画面内の画像を切り出すことを特徴とする請求項１記載の撮像装置。
【請求項９】
前記第２の画像中において前記主要被写体が移動したか否かを検出する移動検出部を有し、
前記移動検出部により前記主要被写体の移動が検出されると、前記ピント合せ部は、前記主要被写体に対して所定のコントラストとなるようにピント合せを行い、かつ前記主要被写体の移動を検出しなければ、前記主要被写体の前記ピント位置に従ってピント合せを行う、
ことを特徴とする請求項１記載の撮像装置。
【請求項１０】
前記ピント合せ部は、前記主要被写体の遠近の距離に応じて前記主要被写体に対するピント合せを山登り又はウォブリングにより行うことを特徴とする請求項１記載の撮像装置。
【請求項１１】
前記主要被写体は、人物の顔部を含むことを特徴とする請求項１記載の撮像装置。
【請求項１２】
主要被写体を含む被写体を撮像部により撮像して第１の画像を取得して表示部に表示し、当該表示部に表示されている前記第１の画像から前記主要被写体を含む第２の画像を切り出すための領域を指定すると、前記第１の画像から前記第２の画像を切り出す撮像装置による撮像方法において、
前記第１の画像中の前記主要被写体に対するピント合せに関する情報をピント合せ情報取得部により取得し、
前記第２の画像を切り出す領域が指定されると、前記取得された前記ピント合せに関する情報に基づいて、ピント合せ部により前記指定された前記領域中の前記主要被写体に対してピント合せし、
前記ピント合せされた前記第２の画像を画像切出し部によって前記第１の画像から切り出す、
ことを特徴とする撮像装置による撮像方法。
【請求項１３】
撮像部の撮像により取得された主要被写体を含む被写体の動画を表示部に表示させ、当該表示部に表示されている前記動画から指定された領域の画像を切り出させる撮像装置の撮像プログラムにおいて、
コンピュータに、
前記第１の画像中の前記主要被写体に対するピント合せに関する情報を取得させるピント合せ情報取得機能と、
前記第２の画像を切り出す領域が指定されると、前記ピント合せ情報取得機能により取得された前記ピント合せに関する情報に基づいて前記指定された前記領域中の前記主要被写体に対してピント合せさせるピント合せ機能と、
前記ピント合せ機能によりピント合せされた前記第２の画像を画像切出し部によって前記第１の画像から切り出す画像切出し機能と、
を実現させる撮像装置の撮像プログラム。
【発明の詳細な説明】
【技術分野】
【０００１】
本発明は、例えば人物等の主要被写体を含む被写体の動画を撮像して記録すると共に、動画から主要被写体の画像を切り出して記録する撮像装置及びその方法、撮像プログラムに関する。
【背景技術】
【０００２】
カメラ等の撮像装置のユーザは、例えば、複数の人物が集合した所謂集合写真を撮像すると共に、これら人物のうち特定の人物の表情等を撮像したい場合がある。図９は集合写真を撮像するときの一状況を示すもので、ユーザは撮像装置１を用いて複数の人物が集合した集合写真、例えば複数の団員から成る合唱団３と指揮者６とを合わせた全体の集合写真を撮像している。
【０００３】
このような集合写真を撮像し、これと共に合唱団３中の特定の団員３ａの表情等を撮像する場合には、ユーザが撮像装置１のモニタ画面２に表示されている特定の団員３ａに該当するモニタ画面２上にタッチすると、撮像装置は、当該タッチ部分に切出し枠４を表示し、合唱団３の全体の集合写真を撮像して図１０（ａ）に示すような画像データ（以下、メイン画像データと称する）Ｄｍ１を記録すると共に、切出し枠４内の画像データを切り出して同図（ｂ）に示すような当該切り出しの画像データ（以下、サブ画像データと称する）Ｄｓ１をメイン画像データＤｍ１とは別に記録する。このようなメイン画像データＤｍ１とサブ画像データＤｓ１との記録の方法を以下マルチレコーディング（ＭＲ）と称する。モニタ画面２上には、マルチレコーディングであることを示すＭＲ記録５が表示されている。なお、画像データの記録では、サブ画像データＤｓ１をメイン画像データＤｍ１に合成して記録してもよい。
【先行技術文献】
【特許文献】
【０００４】
【特許文献１】特開平５−２５２４４０号公報
【発明の概要】
【発明が解決しようとする課題】
【０００５】
このようなＭＲを行う場合、近傍側から遠方側にピントを合わせる場合、例えば、ユーザから見て合唱団３の手前に存在する指揮者６に対してピントが合っている状態から指揮者６よりも遠くの切出し枠４内の特定の団員３ａに移ってピントを合わせる場合、撮像装置１では特定の団員３ａに対してピントが定まらず、例えば図１１に示すように特定の団員３ａに対してピントが合わない状態（ボケ）とピントが合った状態とを繰り替えす状態、いわゆるピント合せに迷いが生じることがある。このようにピントに迷いが生じるのは、特定の団員３ａに対してピントを合わせるためにコントラスト判定による山登りオートフォーカス（山登りＡＦ）を行うためである。
【０００６】
具体的に説明すると、図１２は指揮者６に対してピントが合った後に特定の団員３ａにピントを合わせるときの山登りＡＦの動作を示す。同図１２おいて撮像パルスは、撮像素子を撮像させるためのもので、一定の繰り返し周期でハイレベルとローレベルとを繰り返す。ピント位置は、近傍側と遠方側との間におけるピント位置を示す。コントラスト判定値（Ａ）は、指揮者６に対してピントを合わせるときのコントラスト値を示し、コントラスト判定値（Ｂ）は、合唱団３の特定の団員３ａに対してピントを合わせるときのコントラスト値を示す。
【０００７】
先ず、撮影指示、すなわちレリーズボタンが押されると、コントラスト判定による山登りＡＦ（Ａ）が行われる。この山登りＡＦ（Ａ）では、撮像パルスのハイレベル毎にコントラスト判定値（Ａ）に示す各コントラスト値が取得され、これらコントラスト値から指揮者６に対してピントが合うピント位置Ａが取得される。  
次に、ＭＲ指示、例えばモニタ画面２に表示されている特定の団員３ａに該当するモニタ画面２上にユーザがタッチすると、当該タッチ部分に切出し枠４が表示され、この切出し枠４の特定の団員３ａに対してピントを合わせるために上記同様にコントラスト判定による山登りＡＦ（Ｂ）が行われる。この山登りＡＦ（Ｂ）では、撮像パルスのハイレベル毎にコントラスト判定値（Ｂ）に示す各コントラスト値が取得され、これらコントラスト値から特定の団員３ａに対してピントが合うピント位置Ｂが取得される。
【０００８】
しかしながら、特定の団員３ａに対してピントを合わせときの山登りＡＦ（Ｂ）により取得されるコントラスト判定値（Ｂ）の各コントラスト値が変化し、このために上記図１１に示すように特定の団員３ａに対してピントが合わない状態（ボケ）とピントが合った状態とが繰り替えされてピント合せに迷いが生じることがある。  
このようなＭＲにより取得したサブ画像データＤｓ１の容量は、例えば２Ｍbitであり、メイン画像データＤｍ１の容量１６Ｍbitよりも少ない。このサブ画像データＤｓ１を例えばハイビジョンの表示装置に表示すると、メイン画像データＤｍ１を表示した場合よりも画質が低下するために、ボケが目立つ表示画像となってしまう。
【０００９】
本発明の目的は、ピントに迷いが生じることなく、ＭＲによる画像データを取得できる撮像装置及びその方法、撮像プログラムを提供することにある。
【課題を解決するための手段】
【００１０】
本発明の主要な局面に係る撮像装置は、主要被写体を含む被写体を撮像する撮像部と、前記撮像部の撮像により取得された第１の画像を表示する表示部と、前記表示部に表示されている前記第１の画像から前記主要被写体を含む第２の画像を切り出すための領域を指定する切出し指定部と、前記第１の画像中の前記主要被写体に対するピント合せに関する情報を取得するピント合せ情報取得部と、前記切出し指定部により前記第２の画像を切り出す領域が指定されると、前記ピント合せ情報取得部により取得された前記ピント合せに関する情報に基づいて前記切出し指定部により指定された前記領域中の前記主要被写体に対してピント合せするピント合せ部と、前記ピント合せ部によりピント合せされた前記第２の画像を前記第１の画像から切り出す画像切出し部とを具備する。
【００１１】
本発明の主要な局面に係る撮像装置による撮像方法は、主要被写体を含む被写体を撮像部により撮像して第１の画像を取得して表示部に表示し、当該表示部に表示されている前記第１の画像から前記主要被写体を含む第２の画像を切り出すための領域を指定すると、前記第１の画像から前記第２の画像を切り出す撮像装置による撮像方法において、前記第１の画像中の前記主要被写体に対するピント合せに関する情報をピント合せ情報取得部により取得し、前記第２の画像を切り出す領域が指定されると、前記取得された前記ピント合せに関する情報に基づいて、ピント合せ部により前記指定された前記領域中の前記主要被写体に対してピント合せ、前記ピント合せされた前記第２の画像を画像切出し部によって前記第１の画像から切り出す。
【００１２】
本発明の主要な局面に係る撮像装置の撮像プログラムは、撮像部の撮像により取得された主要被写体を含む被写体の動画を表示部に表示させ、当該表示部に表示されている前記動画から指定された領域の画像を切り出させる撮像装置の撮像プログラムにおいて、コンピュータに、前記第１の画像中の前記主要被写体に対するピント合せに関する情報を取得させるピント合せ情報取得機能と、前記第２の画像を切り出す領域が指定されると、前記ピント合せ情報取得機能により取得された前記ピント合せに関する情報に基づいて前記指定された前記領域中の前記主要被写体に対してピント合せさせるピント合せ機能と、前記ピント合せ機能によりピント合せされた前記第２の画像を画像切出し部によって前記第１の画像から切り出す画像切出し機能とを実現させる。
【発明の効果】
【００１３】
本発明によれば、ピントに迷いが生じることなく、ＭＲによる画像データを取得できる撮像装置及びその方法、撮像プログラムを提供できる。
【図面の簡単な説明】
【００１４】
【図１】本発明に係るＭＲ機能を備えた撮像装置の第１の実施の形態を示す構成図。
【図２】同装置によりＭＲ時に近傍側から遠方側にピントを合わせるときの山登りＡＦの動作を示す図。
【図３】同装置におけるＭＲ動画撮影フローチャート。
【図４】同装置の第２の実施の形態によりＭＲ時に近傍側から遠方側にピントを合わせるときのウォブリングの動作を示す図。
【図５】同装置におけるＭＲ動画撮影フローチャート。
【図６】同装置の第３の実施の形態によりＭＲ時に近傍側から遠方側にピントを合わせるときの山登りＡＦの動作を示す図。
【図７】同装置におけるＭＲ動画撮影フローチャート。
【図８】同装置によりライブビュー用の画像を拡大しての画像の切出しを示す模式図。
【図９】従来装置により集合写真を撮像するときの一状況を示す図。
【図１０】マルチレコーディング時に記録したメイン画像データとサブ画像データとを示す模式図。
【図１１】マルチレコーディング時に近傍側から遠方側にピントを合わせるときに起こるピントの迷いによる画像のボケとピント合とを示す図。
【図１２】マルチレコーディング時に近傍側から遠方側にピントを合わせるときの山登りＡＦの動作を示す図。
【発明を実施するための形態】
【００１５】
［第１の実施の形態］  
以下、本発明の第１の実施の形態について図面を参照して説明する。  
図１はマルチレコーディング（ＭＲ）機能を備えた撮像装置の構成図を示す。この撮像装置は、カメラ本体１０と、交換レンズ方式を構成するための交換レンズ部２０と、電子ビューファインダ（ＥＶＦ）３０とを有する。交換レンズ部２０は、カメラ本体１０に対して交換可能であり、ＥＶＦ３０もカメラ本体１０に対して交換可能である。この撮像装置は、交換レンズ式のカメラに限らず、例えばコンパクトカメラや、撮像機能付きの携帯機器等に適用可能である。
【００１６】
交換レンズ部２０は、コンピュータから成るレンズ制御部２１を搭載する。このレンズ制御部２１には、操作部２３と、２つの駆動部２４ａ、２４ｂと、２つの位置検出部２５ａ、２５ｂと、レンズ系（光学系）２６と、記録部２７と、通信部２８とが接続されている。  
操作部２３は、マニュアル操作でレンズ系２６に対するズーム操作や、被写体に対するピント調整、被写体の明るさを調整する絞り等を行うための操作部材としてレンズリング等を備える。  
各駆動部２４ａ、２４ｂは、それぞれモータなどアクチュエータを備える。一方の駆動部２４ａは、レンズ系２６におけるズームレンズを駆動する。他方の駆動部２４ｂは、レンズ系２６におけるピント調整用レンズを駆動する。
【００１７】
一方の位置検出部２５ａは、ズームレンズの光軸方向における位置等を検出する。他方の位置検出部２５ｂは、ピント調整用レンズの光軸方向における位置等を検出する。この位置検出部２５ｂは、複数のレンズ群の各レンズに各々設ける場合もある。その他、交換レンズ部２０内には、絞り制御用のそれぞれの駆動部、位置検出部なども備えられているがここでは簡略化する。
【００１８】
レンズ系２６は、ズームレンズやピント調整用レンズ、絞り等を有すると共に、ズーム用の光学系２６ａと、ピント用の光学系２６ｂとを有する。ズーム用の光学系２６ａは、駆動部２４ａの駆動を受けて、上記位置検出を伴ってズームレンズを駆動する。ピント用の光学系２６ｂは、駆動部２４ｂの駆動を受けて、上記位置検出を伴ってピント調整用レンズを駆動する。
【００１９】
記録部２７は、レンズ系２６を動作制御するための制御パラメータ及び制御プログラムを予め記憶する。  
レンズ制御部２１は、記録部２７に記憶されている制御パラメータ及び制御プログラムを実行することにより、レンズ系２６におけるズームレンズやピント調整用レンズ、絞り等を駆動する各駆動部２４ａ、２４ｂを駆動制御する。  
レンズ制御部２１は、ユーザのズーム操作があった場合、位置検出部２５ａにより検出されたズームレンズの位置情報に基づいて駆動部２４ａを駆動し、所望倍率のズーム像が得られるようにレンズ系２６におけるズームレンズの位置を制御する。このレンズ制御部２１は、ユーザのピント操作やカメラ本体からの指示があった場合、位置検出部２５ｂにより検出されたピント調整用レンズの位置情報に基づいて駆動部２４ｂを駆動し、被写体に対してピントが合うようにピント調整用レンズの位置を制御する。  
レンズ制御部２１は、通信部２８とカメラ本体１０の通信部１４とを通して当該カメラ本体１０の信号処理・制御部１との間でデータ通信を行う。
【００２０】
一方、カメラ本体１０は、コンピュータから成る信号処理・制御部１を搭載する。この信号処理・制御部１には、撮像素子２と、顔検出部３と、メモリ部４と、操作部６と、表示部８と、タッチパネル８ａと、時計部９と、各通信部１２、１４とが接続されている。
時計部９は、時刻をカウントするもので、撮影時の各種タイミング制御、例えば撮影結果の日時管理や撮影時の各種時間制御、さらに動画撮影時の各コマのタイミングなどを判定するためのものである。
【００２１】
撮像素子２は、交換レンズ部２０のレンズ系２６を介して入射する被写体像を受光し、この被写体像に応じた画像信号を出力する。この撮像素子２は、受光面を有し、この受光面にレンズ系２６を介して集光された被写体からの光束が結像される。この撮像素子２の受光面は、複数の画素を２次元状に配置して成る。この撮像素子２の受光面の光入射側には、カラーフィルタが設けられている。この撮像素子２は、受光面に結像された光束に対応した被写体像をその光量に応じた電気信号に変換する。この撮像素子２は、例えばＣＣＤ方式又はＣＭＯＳ方式等の種々の構成のものが知られている。カラーフィルタの色配列は、例えばベイヤ配列等の種々の配列が知られている。この撮像素子２は、その構成が特定の構成に限定されるものではなく、種々の構成の撮像素子を用いることが可能である。
【００２２】
なお、レンズ系２６及び撮像素子２は、主要被写体を含む被写体を撮像して静止画又は動画を取得する撮像部を構成すると共に、被写体の静止画を取得する前に前記被写体の動画を取得する画像取得部を構成する。又、画像取得部としては、本装置の外部に設けられる例えばコンピュータやカメラ、インターネットを介して接続されたサーバ、記憶装置であって、画像データを取得できるものであってもよい。
【００２３】
顔検出部３は、撮像素子２で得られた画像に含まれる主要被写体として例えば人物の顔部を検出する。この顔部の検出は、取得された画像データと、人物の鼻部周辺や眼部周辺、口部周辺の陰影の各パターンに対応した各顔パーツの各画像データとの相関量をそれぞれ求め、これらの相関量に従って顔部が存在しているとする。  
メモリ部４は、例えばＲＯＭ、ＲＡＭ、又は例えばメモリカードを有する。ＲＯＭには、本装置の静止画や動画の撮像動作を制御するための撮像制御プログラムや、静止画や動画を再生するための再生プログラム、ＭＲ用の撮像プログラムを有する。  
このＭＲ用の撮像プログラムは、コンピュータから成る信号処理・制御部１に、レンズ系２６及び撮像素子２を含む撮像部の撮像により取得された人物等の主要被写体を含む被写体の第１の画像を表示部８に表示させ、当該表示部８に表示されている第１の画像から指定された領域の第２の画像を切り出させる撮像装置の撮像プログラムにおいて、第１の画像中の主要被写体に対するピント合せに関する情報を取得させるピント合せ情報取得機能と、第２の画像を切り出す領域が指定されると、ピント合せ情報取得機能により取得されたピント合せに関する情報に基づいて指定された領域中の主要被写体に対してピント合せさせるピント合せ機能と、ピント合せ機能によりピント合せされた第２の画像を画像切出し部によって第１の画像から切り出す画像切出し機能とを実現させる。
【００２４】
メモリ部４のＲＡＭには、被写体の動画や、静止画、さらに動画中から選択された画像などの処理途中のデータが仮記憶される。  
メモリカードは、信号処理・制御部１の制御によって、本装置の静止画や動画の撮像動作により取得された静止画や動画の各データを記憶する。  
操作部６は、ユーザによって操作される各種の操作部材を有する。この操作部６は、操作部材として例えば、レリーズボタン、動画釦、モードダイヤル、選択キー、電源釦等を備える。レリーズボタンは、１ｓｔレリーズスイッチと、２ｎｄレリーズスイッチとを有する。１ｓｔレリーズスイッチは、ユーザがレリーズ釦を半押しするとオンする。１ｓｔレリーズスイッチがオンすることにより、信号処理・制御部１は、ＡＦ処理等の撮影準備動作を行う。２ｎｄレリーズスイッチは、ユーザがレリーズ釦を全押しするとオンする。２ｎｄレリーズスイッチがオンすることにより、信号処理・制御部１は、静止画撮影用の露光動作を行う。本装置は、静止画の前後の動画を撮影して、後で使うことを想定しているので、レリーズ釦半押しで動画を撮影するような仕様にしてもよい。もちろん、スルー画表示中、すべて動画撮影していてもよい。
【００２５】
動画釦は、基本的に動画撮影の開始又は終了を指示するための操作部材である。ユーザによって動画釦が押されると動画撮影処理が開始される。また、動画撮影処理の実行中に動画釦が押されると、動画撮影処理が終了される。  
モードダイヤルは、撮像装置の撮影設定を選択するための操作部材である。本実施形態では、撮像装置の撮影設定として、例えば、絞り優先やシャッタスピード優先などの露出モードや、本装置のＭＲモードなどの設定も可能である。  
選択キーは、例えばメニュー画面上での項目の選択や決定をするための操作部材である。ユーザによって選択キーが操作されるとメニュー画面上での項目の選択や決定が行われる。
ここで、露出モードなどに設定できるようにしてもよい。  
ＭＲモードのキーは、マルチレコーディグの動作に設定する。
【００２６】
電源釦は、撮像装置の電源をオン又はオフするための操作部材である。ユーザによって電源釦が操作されると、本装置が起動して動作可能な状態となる。本装置が起動している間に電源釦が操作されると、本装置が省電力待機状態となる。
表示部８は、本装置の背面に設けられ、例えば液晶ディスプレイ（以下、ＬＣＤと称する）とそのＬＣＤ駆動部とを有するものであり、ライブビュー用の画像及びメモリ部４に記録された静止画や動画の画像データを表示する。以下、表示部８は、ＬＣＤ表示部８と称する。このＬＣＤ表示部８の表示画面上には、タッチパネル８ａが一体的に設けられている。  
このタッチパネル８ａは、ユーザの指等の接触（タッチ）を検出し、このタッチ位置を示す座標を含む接触信号を出力する。信号処理・制御部１は、タッチパネル８ａを駆動すると共に、タッチパネル８ａからの接触信号を入力し、この接触信号からユーザのＬＣＤ表示部８の表示画面上に対する接触を検出し、その接触位置にある画像や接触位置に応じた処理を実行する。  
ＥＶＦ３０は、ライブビュー用の画像等を表示するもので、通信部３２と接眼表示部３１と有する。このＥＶＦ３０がカメラ本体１０に対して着脱式の場合、通信部３２は、カメラ本体１０の通信部１２との間でデータ通信を行う。  
信号処理・制御部１は、静止又は動画の撮像時に、撮像素子２から出力される画像信号を入力し、この画像信号に対して画像処理を行い、静止又は動画の画像データを取得する。この信号処理・制御部１は、静止又は動画を撮像する際に、コントラストＡＦ処理や、ＡＥ処理を行う。  
コントラストＡＦ処理は、撮像素子２の撮像により得られた画像データの高周波成分を抽出し、この抽出した高周波成分を積算することによりＡＦ用の合焦評価値を取得し、この合焦評価値に従って画像データのコントラストを評価しながら交換レンズ部２０のレンズ系２６のフォーカスレンズを合焦状態となる位置に調整する。  
ＡＥ処理は、撮像素子２の撮像により得られた画像データを用いて被写体の輝度を算出し、この被写体の輝度に従って露光時の絞りの開口量（絞り値）、シャッタの開放時間（シャッタ速度値）を算出する。  
信号処理・制御部１は、撮像素子２の撮像により得られた画像データに対する各種の画像処理を行う。この画像処理は、例えば色補正処理、ガンマ（γ）補正処理、圧縮処理、この圧縮されている画像データに対する伸張処理である。
【００２７】
この信号処理・制御部１は、マルチレコーディング（ＭＲ）用のモードと、通常の撮影モード又は再生モード等を選択可能とし、ＭＲ用のモードが選択されると、メモリ部４のＲＯＭに記憶されているＭＲ用の撮像プログラムを実行し、レンズ系２６及び撮像素子２を含む撮像部の撮像により取得された人物等の主要被写体を含む被写体の第１の画像をＬＣＤ表示部８に表示し、当該ＬＣＤ表示部８に表示されている第１の画像から指定された領域の第２の画像を切り出すとき、第１の画像中の主要被写体に対するピント合せに関する情報を取得し、第２の画像を切り出す領域が指定されると、ピント合せに関する情報に基づいて指定された領域中の主要被写体に対してピント合せ、このピント合せされた第２の画像を第１の画像から切り出す。この信号処理・制御部１は、ＭＲ用の撮像プログラムに有する各機能を実現するために切出し指定部１０１と、ピント合せ情報取得部１０２と、ピント合せ部１０３と、画像切出し部１０４と、記録部１０５と、移動検出部１０６とを有する。
【００２８】
切出し指定部１０１は、ＬＣＤ表示部８に表示されている第１の画像としてのライブビュー用の画像中から例えば人物の顔部等の主要被写体を含む第２の画像すなわちマルチレコーディング画像（以下、ＭＲ画像と称する）を切り出すための領域を指定する。例えば、上記図９に示すようにＭＲ用のモードにおいて、ＬＣＤ表示部８にライブビュー用の画像が表示されている状態に、ユーザがＬＣＤ表示部８の表示画面上に指でタッチすると、同表示画面上に設けられているタッチパネル８ａは、当該タッチ位置を示す座標を含む接触信号を出力する。切出し指定部１０１は、タッチパネル８ａからの接触信号を入力し、この接触信号からタッチ部位の中心座標をユーザを求め、この中心座標を中心として切出し枠４を表示し、当該切出し枠４内の画像をＭＲ画像として切り出す。
【００２９】
この切出し枠４は、例えば四辺形に形成され、予めサイズを設定しておいてもよいし、又はサイズを可変としてもよい。サイズを可変とする場合は、予め複数のサイズの切出し枠４を記憶し、いずれかのサイズを選択するようにしたり、ＬＣＤ表示部８の表示画面上で指をスライド移動することにより切出し枠４のサイズを連続的に変化して所望のサイズに設定するようにしてもよい。
【００３０】
ピント合せ情報取得部１０２は、ライブビュー用の画像中の主要被写体、例えば上記図９に示すように複数の団員から成る合唱団３と指揮者６とを合わせた集合写真を撮像するときに、合唱団３の各団員及び指揮者６に対するピント合せに関する情報を取得する。このピント合せに関する情報は、複数の団員及び指揮者６の特徴として例えば各顔部の特徴、合唱団３の各団員及び指揮者６までの各距離、合唱団３の各団員及び指揮者６に対する各ピント位置、合唱団３の各団員及び指揮者６の各コントラストの各情報である。  
このピント合せ情報取得部１０２は、ライブビュー用の画像の表示中に取得された合唱団３の各団員及び指揮者６の各顔部の特徴と、各団員及び指揮者６の各コントラスト値とをメモリ部４に記憶する。  
このピント合せ情報取得部１０２は、被写体中に主要被写体が複数存在する場合、例えば複数の団員と指揮者６とか存在する場合、ピント合せ情報として複数の団員と指揮者６とのそれぞれの各ピント位置の位置関係、例えば遠近の位置関係を判定する。
【００３１】
ピント合せ部１０３は、切出し指定部１０１によりＭＲ画像を切り出す領域、すなわち切出し枠４が指定されると、ピント合せ情報取得部１０２により取得されたピント合せに関する情報に基づいて切出し枠４中の合唱団３の各団員又は指揮者６のうち例えば特定の団員３ａに対してピント合せする。  
このピント合せ部１０３は、例えば主要被写体が近傍側から遠方側に移った場合、例えば指揮者６から特定の団員３ａに移った場合、又は遠方側から近傍側に移った場合、例えば特定の団員３ａから指揮者６に移った場合、ピント合せに関する情報に基づいて切出し指定部１０１により指定された切出し枠４中の主要被写体に対してピント合せする。
【００３２】
このピント合せ部１０３は、移動検出部１０６により例えば特定の団員３ａ等の主要被写体の移動が検出されると、特定の団員３ａ等の主要被写体に対して所定のコントラスト値となるようにピント合せを行う。又、特定の団員３ａ等の主要被写体の移動を検出しなければ、ピント合せ部１０３は、特定の団員３ａ等の主要被写体のピント位置に従ってピント合せを行う。なお、上記移動検出部１０６は、ライブビュー用の画像中において特定の団員３ａ等の主要被写体が移動したか否かを検出し、その検出結果の信号を出力する。
このピント合せ部１０３は、特定の団員３ａ等の主要被写体の遠近の距離に応じて特定の団員３ａ等の主要被写体に対するピント合せを山登り又はウォブリングにより行うようにしてもよい。
【００３３】
画像切出し部１０４は、ピント合せ部１０３によりピント合せされた切出し枠４中のＭＲ画像をライブビュー用の画像から切り出す。この画像切出し部１０４は、ＬＣＤ表示部８の表示画面上でライブビュー用の画像を拡大し、当該拡大されたライブビュー用の画像におけるＬＣＤ表示部８の表示画面内の画像を切り出すようにしてもよい。  
記録部１０５は、撮像素子２を含む撮像部の撮像により取得された主要被写体を含む被写体の全体の画像、例えば合唱団３と指揮者６とを合わせた全体の集合の画像と、画像切出し部１０４により切り出されたＭＲ画像とを記録する。これら集合の画像とＭＲ画像とは、関係付けを行ってメモリ部４に記録する。
【００３４】
次に、上記の如く構成された装置のＭＲ動作について図２に示すＭＲ時に近傍側から遠方側にピントを合わせるときの山登りＡＦの動作を示す図を参照し、図３に示すＭＲ動作フローチャートに従って説明する。  
信号処理・制御部１は、ユーザによって電源が投入され、ステップＳ１１１において、操作部６の動画釦が押されて動画撮影を開始するか否かを判定する。この判定の結果、動画釦が押されると、信号処理・制御部１は、シャッタを開放し、撮像素子２による撮像を開始して動画の撮影を開始する。動画の撮影開始により信号処理・制御部１は、撮像素子２の撮像により取得された１フレーム毎の各画像データを順次メモリ部４の例えばＲＡＭに記憶し、このＲＡＭに記憶された画像データをライブビュー表示用に画像処理し、この画像データをＬＣＤ表示部８とＥＶＦ３０とに表示し、この表示動作を繰り返すことによってＬＣＤ表示部８とＥＶＦ３０とにそれぞれ被写体のライブビュー表示用の動画を表示する。例えば上記図９に示すように合唱団３と指揮者６とを合わせた集合写真を撮像する場合には、当該合唱団３と指揮者６とのライブビュー表示用の動画を表示する。
【００３５】
ピント合せ情報取得部１０２は、ステップＳ１１２において、ライブビュー用の画像中の主要被写体、例えば上記図９に示すように合唱団３と指揮者６とを合わせた集合の全体を撮像するときの合唱団３及び指揮者６に対するピント合せに関する情報、例えば合唱団３の各団員及び指揮者６の各顔部の特徴、合唱団３の各団員及び指揮者６までの各距離、合唱団３の各団員及び指揮者６に対する各ピント位置、合唱団３の各団員及び指揮者６の各コントラスト値の各情報を取得する。これと共にピント合せ情報取得部１０２は、ライブビュー用の画像の表示中に取得された合唱団３の各団員及び指揮者６の各顔部の特徴と、合唱団３の各団員及び指揮者６の各コントラスト値とをメモリ部４に記憶する。又、ピント合せに関する情報として合唱団３の各団員と指揮者６とのそれぞれの各ピント位置の位置関係、例えば遠近の位置関係を判定し、この判定結果の情報をメモリ部４に記憶する。
【００３６】
これら合唱団３の各団員と指揮者６との各ピント位置の取得では、ピント合せ部１０３は、コントラスト値が最大値になるようにレンズ系２６のピント調整用レンズを移動するための指示をレンズ制御部２１に送る。このレンズ制御部２１は、ピント合せ部１０３からの指示を受けて各駆動部２４ａ、２４ｂを駆動し、ピント調整用レンズを移動する。これにより、合唱団３の各団員及び指揮者６に対する各ピント位置が取得される。
【００３７】
ピント合わせ部１０３は、ステップＳ１１３において、本装置に対して距離的に近い被写体、例えば合唱団３及び指揮者６のうち指揮者６に対してピントを合わせる。すなわち、図２に示すようにレリーズボタンが押されて撮影指示が信号処理・制御部１に送られると、ピント合わせ部１０３は、コントラスト判定による山登りＡＦ（Ａ）を行い、この山登りＡＦ（Ａ）によって撮像パルスのハイレベル毎にコントラスト判定値（Ａ）を取得し、これらコントラスト判定値（Ａ）から指揮者６に対してピントが合うピント位置Ａになる指示をレンズ制御部２１に送る。  
このレンズ制御部２１は、各駆動部２４ａ、２４ｂを駆動し、指揮者６に対してピントの合うピント位置Ａにピント調整用レンズを移動する。この信号処理・制御部１は、ピント位置Ａでピントの合った１フレーム毎の各画像データを順次メモリ部４の例えばＲＡＭに記録することを開始する。
【００３８】
顔検出部３は、ステップＳ１１４において、１フレームの画像データ毎に合唱団３の各団員の顔部及び指揮者６の顔部をそれぞれ検出し、これら団員の顔部及び指揮者６の顔部の追尾をそれぞれ開始する。  
信号処理・制御部１は、ステップＳ１１５において、ＬＣＤ表示部８の表示画面上のタッチパネル８ａに対してユーザがＭＲを行うためにタッチしたか否かを判定する。この判定の結果、タッチパネル８ａに対してタッチが行われると、タッチパネル８ａは、当該タッチ位置を示す座標を含む接触信号を出力する。切出し指定部１０１は、タッチパネル８ａからの接触信号を入力し、この接触信号からタッチ部位の中心座標を求め、この中心座標を中心として切出し枠４を表示し、当該切出し枠４内の画像をＭＲ画像として切り出す。例えば、ユーザのタッチ部位が上記図９に示すように特定の団員３ａの顔部であれば、切出し指定部１０１は、切出し枠４を特定の団員３ａの顔部を含むように設定する。
【００３９】
ピント合わせ部１０３は、ステップＳ１１６において、切出し枠４内の特定の団員３ａの顔部の動画の記録を開始する。
続いて、ピント合わせ部１０３は、ステップＳ１２１において、切出し枠４内の特定の団員３ａの顔部が移動したか否かを判定する。この判定では、移動検出部１０６は、１フレーム毎に特定の団員３ａの顔部の例えば中心位置を検出し、これら顔部の中心位置の変化から特定の団員３ａの顔部が移動したか否かを検出する。この検出の結果、特定の団員３ａの顔部が移動していれば、信号処理・制御部１は、１フレーム毎に特定の団員３ａの顔部を追尾する。
【００４０】
特定の団員３ａの顔部を１フレーム毎に追尾すると共に、ピント合わせ部１０３は、ステップＳ１２２において、特定の団員３ａの顔部の追尾点、例えば顔部の重心位置に対して図２に示すようにコントラスト判定による山登りＡＦ（Ｂ）を行い、この山登りＡＦ（Ｂ）によって撮像パルスのハイレベル毎にコントラスト判定値（Ｂ）を取得し、ステップＳ１２３において、コントラスト判定値（Ｂ）が所定のコントラスト値になったか否かを判定する。  
この判定の結果、コントラスト判定値（Ｂ）が所定のコントラスト値になると、ピント合わせ部１０３は、ステップＳ１２４において、特定の団員３ａの顔部に対してピントが合ったとしてピント制御を停止する。信号処理・制御部１は、特定の団員３ａの顔部に対してピント位置Ｂでピントの合った１フレーム毎の各画像データを順次メモリ部４の例えばＲＡＭに記録することを開始する。  
この後、信号処理・制御部１は、再び、ステップＳ１１１に戻り、動画の撮影を終了の指示があるまで継続する。
【００４１】
一方、上記ステップＳ１２１での判定の結果、切出し枠４内の特定の団員３ａの顔部が移動していなければ、ピント合わせ部１０３は、ステップＳ１２８において、上記ピント合せ情報取得部１０２によりステップＳ１１２において取得した合唱団３における特定の団員３ａのピント位置、すなわちピント位置Ｂに従ってピントを合わせる。このピントを合わせでは、コントラスト値が最大値になるようにレンズ系２６のピント調整用レンズを移動するための指示をレンズ制御部２１に送ることにより、各駆動部２４ａ、２４ｂが駆動し、ピント調整用レンズを移動する。
【００４２】
信号処理・制御部１は、特定の団員３ａの顔部に対してピント位置Ｂでピントの合った１フレーム毎の各画像データを順次メモリ部４の例えばＲＡＭに記録することを開始する。
この後、信号処理・制御部１は、再び、ステップＳ１１１に戻り、動画の撮影を終了の指示があるまで継続する。
【００４３】
このように上記第１の実施の形態によれば、ＬＣＤ表示部８に表示されているライブビュー用の画像から指定された切出し枠４内の画像を切り出すとき、ライブビュー用の画像中の合唱団３の各団員及び指揮者６等の主要被写体に対するピント合せに関する情報、例えば特定の団員３ａの顔部のピント位置Ｂ等を取得し、ＭＲ画像を切り出すための切出し枠４が指定されると、予め取得した特定の団員３ａの顔部のピント位置Ｂの情報に基づいて切出し枠４内の例えば特定の団員３ａの顔部に対してピント合せ、このピント合せされたＭＲ画像をライブビュー用の画像から切り出すので、例えば主要被写体が近傍側から遠方側に移った場合、ここでは指揮者６から特定の団員３ａの顔部に移った場合でも、特定の団員３ａに対してピントが合わない状態（ボケ）とピントが合った状態とが繰り替えさることがなくてピント合せに迷いが生じることもなく、ＭＲによる画像データを取得できる。このＭＲによる画像データを例えばハイビジョンの表示装置に表示しても、ボケが目立つことがない。
［第２の実施の形態］  
次に、本発明の第２の実施の形態について図面を参照して説明する。なお、本実施の形態の装置構成は、図１と同一であり、同図を援用して説明する。  
本装置は、ＭＲ時に、ライブビュー用の画像中の合唱団３の各団員及び指揮者６等の主要被写体に対するピント合せに関する情報、例えば合唱団３の各団員の顔部の各ピント位置Ｂ等を取得し、特定の団員３ａの顔部に対してウォブリング動作によりピント合せを行う。  
図４は同装置によりＭＲ時に近傍側から遠方側にピントを合わせるときのウォブリングの動作を示し、図５は同装置におけるＭＲ動画撮影フローチャートを示す。
【００４４】
信号処理・制御部１は、ステップＳ１１１において、上記同様に、操作部６の動画釦が押されて動画撮影を開始すると、撮像素子２による撮像を開始して動画の撮影を開始し、ＬＣＤ表示部８とＥＶＦ３０とにそれぞれ被写体のライブビュー表示用の動画を表示する。
ピント合せ情報取得部１０２は、ステップＳ１１２ｂにおいて、上記図９に示すように合唱団３及び指揮者６に対する各ピント位置、合唱団３と指揮者６とのそれぞれの各ピント位置の位置関係を取得してメモリ部４に記憶する。なお、ピント合せ情報取得部１０２は、例えば合唱団３及び指揮者６の各顔部の特徴、合唱団３及び指揮者６までの各距離、合唱団３及び指揮者６の各コントラストの各情報を取得してもよい。
【００４５】
ピント合わせ部１０３は、ステップＳ１１３において、コントラスト判定による山登りＡＦ（Ａ）を行い、この山登りＡＦ（Ａ）によって撮像パルスのハイレベル毎にコントラスト判定値（Ａ）を取得し、これらコントラスト判定値（Ａ）から指揮者６に対してピントが合うピント位置Ａを取得する。  
信号処理・制御部１は、ステップＳ１１５において、ユーザがＭＲを行うためにタッチしたか否かを判定する。タッチパネル８ａに対してタッチが行われると、切出し指定部１０１は、タッチ部位の中心座標を中心として切出し枠４を表示し、当該切出し枠４内における特定の団員３ａの顔部の画像をＭＲ画像として切り出す。
【００４６】
ピント合わせ部１０３は、ステップＳ１１６において、切出し枠４内の特定の団員３ａの顔部の動画の記録を開始する。  
信号処理・制御部１は、ステップＳ１３１において、切出し枠４内の特定の団員３ａのピント位置Ｂが指揮者６のピント位置Ａよりも遠方であるか否かを判定する。この判定では、ピント合せ情報取得部１０２により取得された特定の団員３ａ及び指揮者６に対する各ピント位置Ｂ、Ａを比較することにより特定の団員３ａのピント位置Ｂが指揮者６のピント位置Ａよりも遠方であることを判定する。
【００４７】
この判定の結果、特定の団員３ａのピント位置Ｂが指揮者６のピント位置Ａよりも遠方であれば、ピント合わせ部１０３は、ステップＳ１３２において、特定の団員３ａに対応する画像のコントラスト値が最大値になるようにレンズ系２６のピント調整用レンズを移動するための指示をレンズ制御部２１に送る。このレンズ制御部２１は、各駆動部２４ａ、２４ｂを駆動してピント調整用レンズを移動し、特定の団員３ａに対してピントの合うピント位置Ｂの制御を開始する。  
このピント合せ部１０３は、ステップＳ１３４において、特定の団員３ａに対するピント調整用レンズのピント位置Ｂへのピント合わせの制御を微小振動（ウォブリング）動作により行う。このウォブリング動作は、ウォブリング駆動によってピント調整用レンズをピント位置Ｂまで移動する。
【００４８】
このウォブリング動作によるコントラストＡＦでは、ステップＳ１３５において、ＭＲ画像のＡＦ領域のコントラストや高周波成分等を抽出してＡＦ評価値を生成し、このＡＦ評価値が一番高くなるようにピント調整用レンズの位置を調整する。ＡＦ評価値は、ピントの合う位置で最大値（ピーク値）となり、ピントの合う位置（ピーク位置）から遠距離側（後ピン側）又は近距離側（前ピン側）に離れるに従って小さくなるので、ピント合せするときは、ＡＦ評価値がピーク値となるようにピント調整用レンズの位置制御を行う。なお、ＡＦ評価値がピーク値となる位置にピント調整用レンズを移動させるためには、現在のピント調整用レンズ位置に対してピントの合う位置Ｂがどちら方向にあるか、つまり、指揮者６のピント位置Ａに対してピント位置Ｂが遠距離側に位置しているのか、近距離側に位置しているのかを上記ステップＳ１３１において判定する。この判定方法は、画像に影響を与えない程度にピント調整用レンズをウォブリング動作させ、ＡＦ評価値の変動方向を検出するものとなる。
【００４９】
ピント合わせ部１０３は、ＡＦ評価値がピント位置Ｂでピーク値になると、ステップＳ１３６において、特定の団員３ａの顔部に対してピントが合ったとしてピント制御を停止する。信号処理・制御部１は、特定の団員３ａの顔部に対してピント位置Ｂでピントの合った１フレーム毎の各画像データを順次メモリ部４の例えばＲＡＭに記録することを開始する。  
この後、信号処理・制御部１は、再び、ステップＳ１１１に戻り、動画の撮影を終了の指示があるまで継続する。
【００５０】
一方、上記ステップＳ１３１での判定の結果、特定の団員３ａのピント位置Ｂが指揮者６のピント位置Ａよりも近距離であることを判定すると、ピント合わせ部１０３は、ステップＳ１３３において、特定の団員３ａに対応する画像のコントラスト値が最大値になるように上記同様に、レンズ系２６のピント調整用レンズを移動するための指示をレンズ制御部２１に送る。このピント調整用レンズの移動方向は、特定の団員３ａのピント位置Ｂが指揮者６のピント位置Ａよりも遠距離である場合の反対方向になる。レンズ制御部２１は、各駆動部２４ａ、２４ｂを駆動してピント調整用レンズを移動し、特定の団員３ａに対してピントの合うピント位置Ｂの制御を開始する。
【００５１】
このように上記第２の実施の形態によれば、ＬＣＤ表示部８に表示されているライブビュー用の画像から指定された切出し枠４内の画像を切り出すとき、ライブビュー用の画像中の合唱団３の各団員及び指揮者６等の主要被写体に対するピント合せに関する情報、例えば合唱団３の各団員の顔部の各ピント位置Ｂ等を取得し、ＭＲ画像を切り出すための切出し枠４が指定されると、予め取得した特定の団員３ａの顔部のピント位置Ｂの情報に基づいて切出し枠４内の例えば特定の団員３ａの顔部に対してウォブリング動作によりピント合せ、このピント合せされたＭＲ画像をライブビュー用の画像から切り出すので、上記第１の実施の形態と同様の効果を奏することができると共に、特定の団員３ａの顔部に対してウォブリング動作によりピント合せするので、このピント合せ時にＬＣＤ表示部８に表示されるライブビュー用のＭＲ画像のピントの変化を少なくできる。
［第３の実施の形態］  
次に、本発明の第３の実施の形態について図面を参照して説明する。なお、本実施の形態の装置構成は、図１と同一であり、同図を援用して説明する。  
本装置は、ＭＲ時に、ライブビュー用の画像中の合唱団３の各団員及び指揮者６等の主要被写体に対するピント合せに関する情報、例えば合唱団３の各団員の顔部の各ピント位置Ｂ等を取得し、ライブビュー用の画像の拡大像から特定の団員３ａのＭＲ画像を切り出してピント合せを行う。
【００５２】
図６は同装置によりＭＲ時に近傍側から遠方側にピントを合わせるときのウォブリングの動作を示し、図７は同装置におけるＭＲ動画撮影フローチャートを示す。  
信号処理・制御部１は、ステップＳ１１１において、上記同様に、操作部６の動画釦が押されて動画撮影を開始すると、撮像素子２による撮像を開始して動画の撮影を開始し、ＬＣＤ表示部８とＥＶＦ３０とにそれぞれ被写体のライブビュー表示用の動画を表示する。
ピント合せ情報取得部１０２は、ステップＳ１１２ｂにおいて、上記図９に示すように合唱団３の各団員及び指揮者６に対する各ピント位置、合唱団３の各団員と指揮者６とのそれぞれの各ピント位置の位置関係を取得してメモリ部４に記憶する。なお、ピント合せ情報取得部１０２は、例えば合唱団３の各団員及び指揮者６の各顔部の特徴、合唱団３及び指揮者６までの各距離、合唱団３の各団員及び指揮者６の各コントラストの各情報を取得してもよい。
【００５３】
ピント合わせ部１０３は、ステップＳ１１３において、コントラスト判定による山登りＡＦ（Ａ）を行い、この山登りＡＦ（Ａ）によって撮像パルスのハイレベル毎にコントラスト判定値（Ａ）を取得し、これらコントラスト判定値（Ａ）から指揮者６に対してピントが合うピント位置Ａを取得する。  
信号処理・制御部１は、ステップＳ１１５において、ユーザがＭＲを行うためにタッチしたか否かを判定する。タッチパネル８ａに対してタッチが行われると、画像切出し部１０４は、ステップＳ１１５ｂにおいて、ＬＣＤ表示部８の表示画面上でライブビュー用の画像を拡大を開始し、ステップＳ１１５ｃにおいて、当該拡大されたライブビュー用の画像におけるＬＣＤ表示部８の表示画面内の画像を切り出すようにしてもよい。  
図８はライブビュー用の画像を拡大して画像を切出すときの模式図を示す。同図では合唱団３及び指揮者６の全体の画像を連続的に拡大したときの拡大途中の複数の画像を示す。この画像の拡大では、最終的に合唱団３中の特定の団員３ａの顔部を拡大し、当該団員３ａの顔部に絞り込んで切り出し画像Ｆとする。
【００５４】
信号処理・制御部１は、ステップＳ１３１において、画像の拡大により切出した特定の団員３ａのピント位置Ｂが指揮者６のピント位置Ａよりも遠方であるか否かを判定する。特定の団員３ａのピント位置Ｂは、指揮者６のピント位置Ａよりも遠方であるので、ピント合わせ部１０３は、ステップＳ１３２において、特定の団員３ａに対応する画像のコントラスト値が最大値になるようにレンズ系２６のピント調整用レンズを移動するための指示をレンズ制御部２１に送る。このレンズ制御部２１は、各駆動部２４ａ、２４ｂを駆動してピント調整用レンズを移動し、特定の団員３ａに対してピントの合うピント位置Ｂの制御を開始する。  
このピント合せ部１０３は、ステップＳ１３４ｂにおいて、コントラスト判定による山登りＡＦ（Ｂ）を行い、特定の団員３ａに対するピント調整用レンズのピント位置Ｂへのピント合わせを行う。
【００５５】
ピント合わせ部１０３は、ステップＳ１３５ｂにおいて、ＡＦ評価値がピント位置（Ｂ）でピーク値になった否かを判定し、ピーク値になると、特定の団員３ａの顔部に対してピントが合ったとしてピント制御を停止する。  
信号処理・制御部１は、ステップＳ１３６ｂにおいて、切り出し画像Ｆの画像領域において、特定の団員３ａの顔部に対してピント位置Ｂでピントの合った１フレーム毎の各切出し画像Ｆの範囲を確定し、この範囲の切出し画像Ｆを切り出して順次メモリ部４の例えばＲＡＭに記録する。  
この後、信号処理・制御部１は、再び、ステップＳ１１１に戻り、動画の撮影を終了の指示があるまで継続する。
【００５６】
一方、上記ステップＳ１３１での判定の結果、特定の団員３ａのピント位置Ｂが指揮者６のピント位置Ａよりも近距離であることを判定すると、ピント合わせ部１０３は、ステップＳ１３３において、特定の団員３ａに対応する画像のコントラスト値が最大値になるようにレンズ系２６のピント調整用レンズを移動するための指示をレンズ制御部２１に送るので、このレンズ制御部２１は、各駆動部２４ａ、２４ｂを駆動してピント調整用レンズを移動し、特定の団員３ａに対してピントの合うピント位置Ｂの制御を開始する。
【００５７】
このように上記第３の実施の形態によれば、ライブビュー用の画像中の合唱団３の各団員及び指揮者６等の主要被写体に対するピント合せに関する情報、例えば合唱団３及び指揮者６に対する各ピント位置、合唱団３と指揮者６とのそれぞれの各ピント位置の位置関係を取得し、かつライブビュー用の画像を拡大して切出し画像Ｆを切り出し、この切出し画像Ｆ内の例えば特定の団員３ａの顔部に対してピント合せを行ってＭＲ画像を取得するので、上記第１の実施の形態と同様の効果を奏することができる。
【００５８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５９】
１：信号処理・制御部、２：撮像素子、３：顔検出部、４：メモリ部、６：操作部、８：ＬＣＤ表示部、８ａ：タッチパネル、９：時計部、１０：カメラ本体、１２，１４：通信部、２０：交換レンズ部、２１：レンズ制御部、２３：操作部、２４ａ，２４ｂ：駆動部、２５ａ，２５ｂ：位置検出部、２６：レンズ系（光学系）、２７：記録部、２８：通信部、３０：ＥＶＦ、３２：通信部、３１：接眼表示部、１０１：切出し指定部、１０２：ピント合せ情報取得部、１０３：ピント合せ部、１０４：画像切出し部、１０５：記録部、１０６：移動検出部。
【図１】
2013255011.tif 000003
【図２】
2013255011.tif 000004
【図３】
2013255011.tif 000005
【図４】
2013255011.tif 000006
【図５】
2013255011.tif 000007
【図６】
2013255011.tif 000008
【図７】
2013255011.tif 000009
【図８】
2013255011.tif 000010
【図９】
2013255011.tif 000011
【図１０】
2013255011.tif 000012
【図１１】
2013255011.tif 000013
【図１２】
2013255011.tif 000014